(57)【要約】      （修正有）【課題】パソコン及びその外付周辺装置からなるシステム用として、交直流いずれにも対応して所要の電圧を供給する外付け式の変圧電源ソケットを提供する。【解決手段】内部に変圧回路、交直変換回路を搭載した回路基板を収容した外付け式のソケット様携帯式電源ソケット３であって、一端に電源入力端子２１を具え、外周に各種の電圧、ソケット規格の出力端子２２，２３，２４，・・・を具える。入力端子及び出力端子は、それぞれ交直いずれの組み合わせとすることができ、その配置は側面のほか使用の便により、ケーシング上面に配置してもよい。【選択図】図１
0003142583.tif 000002
【実用新案登録請求の範囲】
【請求項１】
内部に変圧回路、交直変換回路を搭載した回路基板を収容した底板、上殻蓋からなる外付け式のソケット様携帯式電源ソケットであって、
該変圧回路、交直変換回路の組み合わせは、変圧コイル、キャパシタ、電圧調節器を具えたＡＣ/ＡＣ、ＡＣ/ＤＣ、ＤＣ/ＤＣ、ＤＣ/ＡＣの変圧、交直変換回路からなり、
該上殻蓋にはインジケータ、交直電源入力端子、及び交直各種の電圧、ソケット規格の複数の出力端子を具えることを特徴とする、外付け式変圧電源ソケット。
【考案の詳細な説明】
【技術分野】
【０００１】
本考案は、ＡＣまたはＤＣ電源入力端、変圧要素およびＡＣまたはＤＣ電源出力端の外付け式変圧電源ソケットに関し、その構造がＡＣ/ＤＣが入力並びに変圧された後、複数の異なる電圧値と電流値のＡＣ/ＤＣ各式出力端から電源を出力する電源ソケットに関する。
【背景技術】
【０００２】
ここ数年、電子製品は、迅速に発展し、特に、情報及び通信関連製品は大きく更新され、機能は絶え間なく拡張され、各種の機能が相互に異なる周辺設備、例えば、プリンタ、ノートパソコン、スキャナー、外付けハードディスク、ＨＵＢ集線ポート、カードリーダ、デジタルカメラ、スピーカー、ＭＰ３、インターネットカメラ、無線キーボード、無線マウス、携帯電話充電器、ＰＤＡ等の製品が相継いでコンピュータ情報、通信およびＡＶ運用に加っている。
【０００３】
しかしながら、上記のパソコン周辺設備、通信器材およびＡＶ製品、特に、直流電源製品の大部分がいずれも電源供給を必要とし、必要とする電流、電圧値で電源エネルギーが満足に供給されなければならない。
【０００４】
上記の多くのパソコン周辺設備、通信器材と、ＡＶ製品が電源を取得する方法は、通常、一端に変圧器を有する接続電源ケーブルを経由して通常の交流電源ソケットと接続され、該変圧器を経て交流電流を必要な直流電源に変換して該設備に供給する。または、設備中に蓄電機能を有する充電電池を設け、該変圧器によって変圧した後、該電池に充電後、電源を供給する。
【０００５】
このように、交流電源を直流電源に変換して使用するか、または、直流電源を変圧し、正確な電圧値と電流値の直流電源として使用する場合、その交流電源ケーブルをソケット上に接続するかまたは直流電源を電源ソケット上に接続し、変圧器またはプラグを接続し、且つ周辺設備の電源ケーブルにそれぞれ接続するという複雑に錯綜した配線を形成して、充電電池を使い切った時には、再び上記変圧・整流機構を有する充電ソケットを用いて充電するなどしなければならない。
【特許文献１】登録実用新案３１０７７２９号公報
【特許文献２】登録実用新案３０７３８０９号公報
【考案の開示】
【考案が解決しようとする課題】
【０００６】
多くの電気製品は、交流電源を採用しているが、各国または各地域によって電圧規格が異なり、例えば、２２０Ｖ，１１０Ｖ等の規格の交流電源である場合、変圧して始めて使用できるため、外国旅行者は、各種の電源変圧器をあらかじめ用意する必要がある。
【０００７】
もう１つの状況は、使用現場に直流電源しかないが、使用電気が交流である場合、例えば、車両において交流電源の掃除機、ランプ、音響機器等を使用する場合、直流を交流に転換する必要がある。
【０００８】
従来の電源供給系統においては、ＡＣ/ＡＣ、ＡＣ/ＤＣ、ＤＣ/ＤＣ、ＤＣ/ＡＣの変圧または変換は、これらの組み合わせに対応するにはいずれも明らかな欠陥が存在するので、これに鑑みて、本考案「外付け式変圧電源ソケット」製品を開発完成するものである。
【課題を解決するための手段】
【０００９】
図１〜図８に示すように、本考案の外付け式変圧電源ソケットは、携帯に便利であり、電源ケーブルを必要とせず、ＡＣまたはＤＣ入力端が変圧を経て複数のＡＣまたはＤＣ出力端を呈する電源ソケットを有し、その入力、変圧、出力機能は、ＡＣ/ＡＣ、ＡＣ/ＤＣ、ＤＣ/ＤＣ、ＤＣ/ＡＣを具える。
【００１０】
本考案の外付け式変圧電源ソケットは、底板１、底板上に固定される回路板２、上殻蓋３を具える。
【考案の効果】
【００１１】
本考案の外付け式変圧電源ソケットの構造は、使用者に直流電源または交流電源により直流電源入力端２１または交流電源入力端２１Ａから電源を入力し、該ソケットの各式直流出力端２２,２３，２４，２５，２６，２７，２８または交流出力端２２Ａ、２３Ａ、２４Ａから必要な直流電源または交流電源接続を選択し電源取得を行わせることができる。
【考案を実施するための最良の形態】
【００１２】
図１〜図８に示すように、本考案の外付け式変圧電源ソケットは、回路板２上に直流電源入力端２１または交流電源入力端２１Ａ、インジケータ２１１、変圧コイル２１２、キャパシタ２１３、電圧調節器２１４、複数の変圧を経て異なる電圧値および電流値を有する各種の電流出力端２２,２３，２４，２５，２６，２７，２８または交流出力端２２Ａ，２３Ａ，２４Ａを具える。
【００１３】
図１、図２は、本考案の実施例の１つであって、回路板２上に直流電源入力端２１と直流出力端２２,２３，２４，２５，２６，２７，２８を具える変圧電源ソケットである。
【００１４】
図３、図４は、本考案の他の実施例であって、回路板２上に交流電源入力端２１Ａと直流出力端２２，２３，２４，２５，２６，２７，２８を具える変圧電源ソケットである。
【００１５】
図５、図６は、本考案の他の実施例であって、回路板２上に交流電源入力端２１Ａと交流出力端２２Ａ，２３Ａ，２４Ａを具える変圧電源ソケットである。
【００１６】
図７、図８は、本考案の他の実施例であって、回路板２上に直流電源入力端２１と交流出力端２２Ａ，２３Ａ，２４Ａを具える変圧電源ソケットである。
【００１７】
上記のように、本考案の外付け式変圧電源ソケットの構造は、使用者が直流電源または交流電源により直流電源入力端２１または交流電源入力端２１Ａから電源を入力し、該ソケットの各式直流出力端２２,２３，２４，２５，２６，２７，２８または交流出力端２２Ａ、２３Ａ、２４Ａから必要な直流電源または交流電源接続を選択して所要の電源を取得できることを特徴とする。
【図面の簡単な説明】
【００１８】
【図１】本考案の直流電源入力端と直流出力端を有するソケットの立体図である。
【図２】本考案の直流電源入力端と直流出力端を有するソケットの分解立体図である。
【図３】本考案の交流電源入力端と直流出力端を有するソケットの立体図である。
【図４】本考案の交流電源入力端と直流出力端を有するソケットの分解立体図である。
【図５】本考案の交流電源入力端と交流出力端を有するソケットの立体図である。
【図６】本考案の交流電源入力端と直流出力端を有するソケットの分解立体図である。
【図７】本考案の直流電源入力端と直流出力端を有するソケットの立体図である。
【図８】本考案の直流電源入力端と直流出力端を有するソケットの分解立体図である。
【符号の説明】
【００１９】
１  底板
２  回路板
２１  電源入力端
２１Ａ  交流電源入力端
２１１  インジケータ
２１２  変圧コイル
２１３  キャパシタ
２１４  電圧調節器
２２,２３，２４，２５，２６，２７，２８  直流出力端
２２Ａ，２３Ａ，２４Ａ  交流出力端
３  上殻蓋
【図１】
0003142583.tif 000003
【図２】
0003142583.tif 000004
【図３】
0003142583.tif 000005
【図４】
0003142583.tif 000006
【図５】
0003142583.tif 000007
【図６】
0003142583.tif 000008
【図７】
0003142583.tif 000009
【図８】
0003142583.tif 000010